(57)【要約】      （修正有）【課題】トイレットペーパーロールを芯の長手方向に収縮させて小容量化することのできるトイレットペーパーロールの芯、小容量化することのできるトイレットペーパーロール、及び小容量化されたトイレットペーパーロールセットを提供する。【解決手段】芯１は、軸方向に蛇腹折りが設けられた筒形状を有する。それにより、芯１を軸方向に収縮することができる。また、トイレットペーパーロール３は、芯１にトイレットペーパー２を巻回してなる。それにより、トイレットペーパーロール３を軸方向に圧縮して収縮することができる。また、トイレットペーパーロールセットは、トイレットペーパーロール３を芯１の軸方向に収縮して梱包してなる。それにより、トイレットペーパーロールセットを小容量化することができる。【選択図】図５
2018076146.tif 000002
【特許請求の範囲】
【請求項１】
軸方向に蛇腹折りが設けられた筒形状を有することを特徴とする、トイレットペーパーロールの芯。
【請求項２】
樹脂材より形成され、弾力を有することを特徴とする、請求項１に記載のトイレットペーパーロールの芯。
【請求項３】
請求項１又は２に記載のトイレットペーパーロールの芯にトイレットペーパーを巻回したことを特徴とするトイレットペーパーロール。
【請求項４】
前記トイレットペーパーは、前記トイレットペーパーロールの芯の蛇腹折りと一致する位置に蛇腹折りが設けられていることを特徴とする、請求項３に記載のトイレットペーパーロール。
【請求項５】
請求項３又は４に記載のトイレットペーパーロールを前記トイレットペーパーロールの芯の軸方向に収縮して梱包したことを特徴とする、トイレットペーパーロールセット。
【発明の詳細な説明】
【技術分野】
【０００１】
本発明は、トイレットペーパーロールの芯、該芯にトイレットペーパーが巻回されたトイレットペーパーロール、及び該トイレットペーパーロールを梱包したトイレットペーパーロールセットに関する。
【背景技術】
【０００２】
トイレットペーパーは、帯状のペーパーを円筒形状の芯に巻回したトイレットペーパーロールの形で市場に流通するとともに、家庭等において使用される。家庭においては、ドラッグストア、スーパーマーケット等においてトイレットペーパーを購入し、自宅に持ち帰って使用する。しかし、通常１２のトイレットペーパーロールを同梱した購入単位の体積は大きく、自宅に持ち帰ることに困難が発生していた。
【０００３】
特許文献１には、トイレットペーパーロールの芯内の空洞は全容量の約３０％を占めることに着目し、トイレットペーパーロールをプレス機で芯の空洞がなくなるまで圧縮し、これを適宜の数袋詰めし、さらに、上下左右を圧縮し段ボール箱に収めることで、数多くのトイレットペーパーロールを梱包する方法が開示されている。しかし、流通段階におけるコスト削減を目的としており、自宅に持ち帰ることの困難性を解決するものではない。すなわち、購入単位（通常１２ロール）のトイレットペーパーロールは、２×２の正方形の位置の４ロールが、芯の長手方向に３段に積まれている（図７（Ｂ）：側面から見た状態を参照）。芯を長手方向に収縮させない限り、３段に積まれた高さが小さくならず、自宅に持ち帰ることの困難性はほとんど減少しない。
【先行技術文献】
【特許文献】
【０００４】
【特許文献１】特開平１０−２５０７１６号公報
【発明の概要】
【発明が解決しようとする課題】
【０００５】
本発明は、トイレットペーパーロールを芯の長手方向に収縮させて小容量化することのできるトイレットペーパーロールの芯、小容量化することのできるトイレットペーパーロール、及び小容量化されたトイレットペーパーロールセットを提供することを課題とする。
【課題を解決するための手段】
【０００６】
本発明のトイレットペーパーロールの芯は、
軸方向に蛇腹折りが設けられた筒形状を有することを特徴とする。
【０００７】
これによれば、筒形状の軸方向に蛇腹折りが設けられていることで、トイレットペーパーロールの芯を軸方向に収縮することができる。
【０００８】
本発明のトイレットペーパーロールの芯は、
樹脂材より形成され、弾力を有することを特徴とする。
【０００９】
これによれば、樹脂材より形成され、弾力を有することで、外力のない状態において収縮を自然に復元することができる。
【００１０】
本発明のトイレットペーパーロールは、
本発明のトイレットペーパーロールの芯にトイレットペーパーを巻回したことを特徴とする。
【００１１】
これによれば、本発明のトイレットペーパーロールの芯にトイレットペーパーが巻回されていることで、トイレットペーパーロールを軸方向に圧縮して収縮することができる。
【００１２】
本発明のトイレットペーパーロールは、
前記トイレットペーパーは、前記トイレットペーパーロールの芯の蛇腹折りと一致する位置に蛇腹折りが設けられていることを特徴とする。
【００１３】
これによれば、トイレットペーパーは、トイレットペーパーロールの芯の蛇腹折りと一致する位置に蛇腹折りが設けられていることで、トイレットペーパーロールを軸方向に圧縮して収縮しやすくなる。
【００１４】
本発明のトイレットペーパーロールセットは、
請求項３又は４に記載のトイレットペーパーロールを前記トイレットペーパーロールの芯の軸方向に収縮して梱包したことを特徴とする。
【００１５】
これによれば、本発明のトイレットペーパーロールをトイレットペーパーロールの芯の軸方向に収縮して梱包することで、トイレットペーパーロールセットを小容量化することができる。
【発明の効果】
【００１６】
本発明のトイレットペーパーロールの芯によれば、トイレットペーパーロールを小容量化することが可能となる。また、本発明のトイレットペーパーロールによれば、小容量化されたトイレットペーパーロールが提供される。さらに、本発明のトイレットペーパーロールセットによれば、小容量化することが可能となる。
【図面の簡単な説明】
【００１７】
【図１】図１は、トイレットペーパーロールの芯の構成を示す図である。
【図２】図２は、トイレットペーパーロールの芯を収縮させた状態を示す図である。
【図３】図３は、トイレットペーパーロールの芯の構成の変形例を示す図である。
【図４】図４は、トイレットペーパーロールの構成を示す図である。
【図５】図５は、トイレットペーパーロールを収縮させた状態を示す図である。
【図６】図６は、トイレットペーパーの構成を示す図である。
【図７】図７は、トイレットペーパーロールセットの構成を示す図である。
【発明を実施するための形態】
【００１８】
以下、本発明の実施例について説明する。
【００１９】
図１及び図２に、トイレットペーパーロールの芯１の構成を、それぞれ軸方向に伸張した状態及び収縮した状態で示す。ここで、図１（Ａ）及び図２（Ａ）は側面図であり、図１（Ｂ）及び図２（Ｂ）は上面図である。芯１は、円筒形状に成形され、軸方向（図１（Ａ）における左右方向）に螺旋状に山折りのライン１ａ及び谷折りのライン１ｂ、すなわち蛇腹折りが設けられている。それにより、図２（Ａ）よりわかるように、芯１を軸方向に収縮することができる。
【００２０】
芯１は、弾力を発現するよう、一例として樹脂材より形成される。それにより、芯１に軸方向に外力を加えた場合に、図２（Ａ）に示すように、蛇腹折りにより軸方向に収縮し、外力を加えない（すなわち、外力を解放した）場合に、図１（Ａ）に示すように、軸方向に伸張し、元の形状を復元することができる。なお、芯１の素材は、樹脂材に限らず、紙材等、任意の素材を採用することができる。ただし、外力を解放した場合に伸張するよう、弾力を発現することができる素材とすることが好ましい。
【００２１】
図３に、芯の構成（蛇腹折りの形状）の変形例を示す。蛇腹折りの形状は、図１に示したリング状の山折りのライン１ａ及び谷折りのライン１ｂの繰り返しに限定されない。図３（Ａ）に示すように、螺旋状の山折りのライン１ａ及び谷折りのライン１ｂの組としてもよい。また、図３（Ｂ）に示すように、芯１の全体でなく一部のみに設けてもよい。
【００２２】
図４に、トイレットペーパーロール３の構成を示す。トイレットペーパーロール３は、先述の芯１及びトイレットペーパー２を備える。トイレットペーパー２は、紙材より、伸張した状態における芯１の長さに等しい幅を有する帯状に成形されている。芯１を伸張し、その状態において芯１にトイレットペーパー２を巻回することで、トイレットペーパーロール３をなす。本実施例に係る芯１を用いることにより、図４に示すように、トイレットペーパーロール３を軸方向に圧縮することができる。その際、トイレットペーパー２は、柔軟な紙であり、圧縮する圧力によって収縮することが可能である。
【００２３】
図５に、トイレットペーパーロール３を収縮させた状態を示す。トイレットペーパーロール３は、芯１が図２に示すように収縮している。トイレットペーパー２は、一般に、柔軟な素材であり、芯１に合わせて収縮する。トイレットペーパー２の材質、密度等に基づき収縮には限界があるが、芯の長手方向に１０〜２０％の収縮は可能である。
【００２４】
なお、トイレットペーパー２は、その体積が大きくは変化せず、芯１の長手方向に収縮させると略円柱状の芯１の直径方向に拡張することが考えられる。しかし、その拡張は、後述のトイレットペーパーロールセットの短手方向であり、自宅に持ち帰ることの困難性の解決に大きな問題とならない。
【００２５】
図６に示すように、トイレットペーパー２に、芯１の蛇腹折りと一致する位置に蛇腹折り、すなわち幅方向に交互に山折りのライン２ａ及び谷折りのライン２ｂを設けてもよい。伸張した芯１の蛇腹折り（山折りのライン１ａ及び谷折りのライン１ｂ）の位置にトイレットペーパー２の蛇腹折り（山折りのライン２ａ及び谷折りのライン２ｂ）を合わせて、芯１にトイレットペーパー２を巻回する。それにより、トイレットペーパーロール３を軸方向に圧縮して収縮させる際に、トイレットペーパー２からの抗力が小さくなり、収縮させやすくなる。
【００２６】
ここで、芯１の蛇腹折りは、図１に示すリング状の山折りのライン１ａ及び谷折りのライン１ｂの繰り返しであるものとした。この場合、トイレットペーパー２の固定位置に蛇腹折りを設ければよい（芯１の蛇腹折りの位置が、略円柱状の芯１の周に沿って不変であるのでその位置にトイレットペーパー２の蛇腹折りを設ければよい）。図３（Ｂ）に示す芯１の全体でなく一部のみに蛇腹折りを設ける場合も同様である。ただし、図３（Ａ）に示すよう螺旋状の蛇腹折りを設けるには、芯１とトイレットペーパー２との蛇腹折りの位置を一致させることは可能であるが容易でない。
【００２７】
図７に、トイレットペーパーロールセット１０の構成を示す。図７（Ａ）に示すトイレットペーパーロールセット１０は、図５に示したように収縮させたトイレットペーパーロール３及び収容袋９を備える。収容袋９は、一例として、樹脂からなる袋体である。トイレットペーパーロール３を軸方向に収縮して、収容袋９内に芯１の軸方向を高さ方向（図面上下方向）に向けて、例えば１段につき２行２列の４つを収容し、これを３段に積み上げることで計１２のトイレットペーパーロール３を梱包する。それにより、トイレットペーパーロールセット１０を小容量化することができる。
【００２８】
図７（Ｂ）に、従来技術によるトイレットペーパーロールセット１０の構成を示す。トイレットペーパーロール３は収縮していない。図７（Ａ）に示したトイレットペーパーロールセット１０は、従来技術に比して、高さ（図面上下方向の長さ）が小さくなり、自宅に持ち帰ることが容易なものとなる。
【００２９】
以上詳細に説明したように、本実施例に係る芯１は、軸方向に蛇腹折りが設けられた筒形状を有する。それにより、芯１を軸方向に収縮することができる。また、本実施例に係るトイレットペーパーロール３は、芯１にトイレットペーパー２を巻回してなる。それにより、トイレットペーパーロール３を軸方向に圧縮して収縮することができる。また、本実施例に係るトイレットペーパーロールセット１０は、トイレットペーパーロール３を芯１の軸方向に収縮して梱包してなる。それにより、トイレットペーパーロールセット１０を小容量化することができる。
【産業上の利用可能性】
【００３０】
本発明のトイレットペーパーロールの芯は、トイレットペーパーロールを小容量化する。また、本発明のトイレットペーパーロール及びトイレットペーパーロールセットは、小容量化されたトイレットペーパーロール及びトイレットペーパーロールセットを提供する。本発明のトイレットペーパーロールセットは自宅に持ち帰ることの困難性を解消する。多くの個人及びトイレットペーパーロール生産者による利用が考えられる。
【符号の説明】
【００３１】
１    芯
１ａ  山折りのライン
１ｂ  谷折りのライン
２    トイレットペーパー
２ａ  山折りのライン
２ｂ  谷折りのライン
３    トイレットペーパーロール
９    収容袋
１０  トイレットペーパーロールセット
【図１】
2018076146.tif 000003
【図２】
2018076146.tif 000004
【図３】
2018076146.tif 000005
【図４】
2018076146.tif 000006
【図５】
2018076146.tif 000007
【図６】
2018076146.tif 000008
【図７】
2018076146.tif 000009